(57)【要約】      （修正有）【課題】自動車座席のほかに家庭でとか事務所内でも安定的に直立させた姿勢で使用し得るＤＶＤプレイヤーを提供する。【解決手段】ポータブルＤＶＤプレイヤー１０は、直立させた姿勢で使用される平坦な基部１００と、基部１００に設けたプレイ機構１５０と、基部１００に接続されたフロント・パネル２００と、パネル２００上の画面２５０とを有する。基部１００はその底部１１０で支持面上に直立する。パネル２００は、基部１００に連結されて、基部１００の近くに置かれて装填用湾部１５２を塞いで画面２５０を現わす上方位置と、基部１００から延びて装填用湾部１５２を現わす下方位置との間を回動可能である。さらに、パネル２００は、それが上方位置と下方位置との間を移動する間のその少なくとも一部において、支持面と接触することのできる底部２０４を有する。【選択図】図３
0003127398.tif 000002
【実用新案登録請求の範囲】
【請求項１】
支持面と接する底部を有し、その支持面上に動作可能に直立させた姿勢で使用に供される、全体的に平坦な基部と、
前記基部に設けられた、ディスク装填用湾部を有するディスク・プレイ機構と、
前記基部に連結されたフロント・パネルと、
前記ディスク・プレイ機構にかけられるディスクの映像内容を表示するための、前記フロント・パネル上の画面と、
を備えたポータブル・ディスク・プレイヤーであって、
前記フロント・パネルは、前記基部に連結されて、前記基部の近くに置かれて前記装填用湾部を塞いで前記画面を現わす上方位置と、前記基部から延びて前記装填用湾部を現わす下方位置との間を回動可能であり、さらに、前記フロント・パネルは、それが上方位置と下方位置との間を移動する間のその少なくとも一部において、前記支持面と接触することのできる底部を有することを特徴とする、
前記のポータブル・ディスク・プレイヤー。
【請求項２】
前記パネルの底部は、前記パネルのその上方位置と下方位置との間の回動のほぼ全範囲に亘って前記支持面と接触するように構成されている、請求項１に記載のポータブル・ディスク・プレイヤー。
【請求項３】
前記パネルは水平な軸心の周りを回動可能であり、そのパネルの底部は前記軸心の周りを９０°以上の角度にわたって半径方向等距離に延びている、請求項１または２に記載のポータブル・ディスク・プレイヤー。
【請求項４】
前記パネルはその左右両側に一対の前記底部を有する、請求項１から３のうちのいずれか１項に記載のポータブル・ディスク・プレイヤー。
【請求項５】
前記パネルはその底部のところで前記基部の底部にヒンジ結合されている、請求項１から４のうちのいずれか１項に記載のポータブル・ディスク・プレイヤー。
【請求項６】
前記パネルは、その下方位置において、全体的に前記基部から水平方向に延びて前記支持面上に載ることで、前記基部に対してはそれが後方へ転倒するのを妨げる方向に作用する、請求項１から５のうちのいずれか１項に記載のポータブル・ディスク・プレイヤー。
【請求項７】
前記パネルは、それが下方位置にあるとき前記支持面に接触するのに備えて、その前面側に少なくとも１個の細いリブを有している、請求項６に記載のポータブル・ディスク・プレイヤー。
【請求項８】
前記パネルは、前記プレイ機構にかけられるディスクのオーディオ内容を再生するためのスピーカーを有する、請求項６または７に記載のポータブル・ディスク・プレイヤー。
【請求項９】
前記基部は、それを直立させた姿勢で使用するため、その後部に傾斜脚を有する、請求項１から８のうちのいずれか１項に記載のポータブル・ディスク・プレイヤー。
【請求項１０】
前記基部は、それが直立姿勢にあるときは、後方にわずかな角度だけ傾斜していて、その基部に、前記パネルはその上方位置において自分の重さでもってもたれる、請求項１から９のうちのいずれかで１項に記載のポータブル・ディスク・プレイヤー。
【請求項１１】
フックを前記パネルと前記基部との間に設けて前記パネルを前記基部にフック結合させ、且つ、そのフックは、パネルの上部に設けられた操作子により解放することができ、前記パネルの上部を保持することによって前記パネルをその下方位置にまで回動させることができる、請求項１０に記載のポータブル・ディスク・プレイヤー。
【請求項１２】
前記操作子は押しボタンからなる、請求項１１に記載のポータブル・ディスク・プレイヤー。
【請求項１３】
前記基部の背面には、前記ポータブル・ディスク・プレイヤー全体を自動車の座席の背部に取り付けるための取り付け手段を設けた、請求項１から１２のうちのいずれか１項に記載のポータブル・ディスク・プレイヤー。
【考案の詳細な説明】
【技術分野】
【０００１】
本考案は、ポータブル・ディスク・プレイヤーに関する。特に、自動車座席搭載のＤＶＤプレイヤーに関するが、それのみに限定されるものではない。
【背景技術】
【０００２】
自動車座席搭載のＤＶＤプレイヤーは通常は平坦な長方形状をしている。この種のプレイヤーは、自動車座席のほかに家庭でとか事務所内でも使用することができるが、安定して直立させるようには設計されておらず、特別なスタンドを使用する。トップ装填型は、トレイ装填またはスロット装填型とは違って、画面はヒンジで動いてディスク装填用湾部への蓋として使用される場合が多い。こうした構成は家庭や事務所で使用するためには不便さを与えている。
【考案の開示】
【考案が解決しようとする課題】
【０００３】
本考案は、新規な改良されたポータブル・ディスク・プレイヤーを提供することによりこうした問題なり欠点を軽減するか、少なくとも緩和することを目的とする。
【課題を解決するための手段】
【０００４】
本考案によるポータブル・ディスク・プレイヤーは、直立した姿勢で使用する全体的に平坦な基部と、前記基部に設けられたディスク・プレイ機構と、前記基部に連結されたフロント・パネルと、前記ディスク・プレイ機構にかけられるディスクの映像内容を表示するための前記フロント・パネル上の画面とを備える。前記基部は、その底部が支持面上に載った状態で動作可能に直立する。前記ディスク・プレイ機構はディスク装填用湾部を基部上に有している。前記フロント・パネルは、前記基部に連結されて、前記基部の近くに置かれて前記装填用湾部を塞いで前記画面を現わす上方位置と、前記基部から延びて前記装填用湾部を現わす下方位置との間を回動可能である。さらに、前記フロント・パネルは、それが上方位置と下方位置との間を移動する間のその少なくとも一部において、前記支持面と接触することのできる底部を有する。
【０００５】
望ましくは、前記パネルの底部は、前記パネルのその上方位置と下方位置との間の回動のほぼ全範囲に亘って前記支持面と接触するように構成されている。
【０００６】
前記パネルは水平な軸心の周りを回動可能であり、そのパネルの底部は前記軸心の周りを９０°以上の角度にわたって半径方向等距離に延びていることが望ましい。
【０００７】
望ましくは、前記パネルはその左右両側に一対の前記底部を有する。
前記パネルはその底部のところで前記基部の底部にヒンジ結合されているのが望ましい。
【０００８】
望ましくは、前記パネルは、その下方位置において、全体的に前記基部から水平方向に延びて前記支持面上に載ることで、前記基部に対してはそれが後方へ転倒するのを妨げる方向に作用する。
【０００９】
さらに望ましくは、前記パネルは、それが下方位置にあるとき前記支持面に接触するのに備えて、その前面側に少なくとも１個の細いリブを有している。
【００１０】
さらに望ましくは、前記パネルは、前記プレイ機構にかけられるディスクのオーディオ内容を再生するためのスピーカーを有する。
前記基部は、それを直立させた姿勢で使用するため、その後部に傾斜脚を有するのが望ましい。
【００１１】
前記基部は、それが直立姿勢にあるときは、後方にわずかな角度だけ傾斜していて、その基部に、前記パネルはその上方位置において自分の重さでもってもたれるのが望ましい。
【００１２】
さらに望ましくは、フックを前記パネルと前記基部との間に設けて前記パネルを前記基部にフック結合させ、且つ、そのフックは、パネルの上部に設けられた操作子により解放することができ、前記パネルの上部を保持することによって前記パネルをその下方位置にまで回動させることができる。
【００１３】
さらに一層望ましくは、前記操作子は押しボタンからなる。
【００１４】
前記基部の背面には、前記ポータブル・ディスク・プレイヤー全体を自動車の座席の背部に取り付けるための取り付け手段を設けるのが望ましい。
【考案の効果】
【００１５】
本考案によれば、自動車座席のほかに家庭でとか事務所内でも安定的に直立させた姿勢で使用し得るＤＶＤプレイヤーが提供される。
【考案を実施するための最良の形態】
【００１６】
図に示すように、本考案によるポータブル・ディスク・プレイヤーがＤＶＤプレイヤー１０の形で示されている。このポータブル・ディスク・プレイヤー１０は、主として自動車内で使用するように設計されているが、それ以外の場所、例えば、家庭や事務所での机の上など、でも使用することもできる。ＤＶＤプレイヤー１０は、ディスク・プレイ機構１５０を内蔵するほぼ平坦な長方形状の基部１００と、その基部１００に接続された長方形状フロント・パネル２００とを有する。そのフロント・パネル２００は、スピーカー２６０を内蔵した液晶画面２５０を備えている。
【００１７】
ディスク・プレイ機構１５０は、画面２５０上に表示される映像内容およびスピーカー２６０で再生される音響内容を有するＤＶＤ、ＤＶＤ±Ｒ／Ｗ、ＶＣＤ、ＣＤおよびＣＤ−Ｒ／Ｗ等の最もありふれたタイプの映像および／またはオーディオ・コンパクト・ディスクをかけることができる。基部１００の前面側にあるプレイ機構１５０のディスク装填用湾部１５２は、通常はパネル２００により閉じられている。
【００１８】
基部１００は、その底端部１１０に沿って対称的に延びている横長のフット・プレート１１２を有する。基部１００は、そのフット・プレート１１２に支えられて、机の上に小さな角度だけ、例えば約１５°の角度で、後方に傾斜した状態で立つ。基部１００がこの立った姿勢にあると、ディスクの装填及び取り出は容易になる。基部１００の後部にある小さなプレート１３０は、外方に飛び出て机の上にあたる。すなわち、このプレート１３０は、基部１００が立った姿勢にある間、その背後で基部１００が後方に倒れないようにさらに支える傾斜脚として機能する。さらに、基部１００には細長の突出部１１４が一体形成されている。その突出部１１４にフロント・パネル２００の底端部２１０がヒンジ結合することで、フロント・パネル２００は水平ヒンジ軸心Ｘの周りを回動することができる。
【００１９】
フロント・パネル２００は、上部開放型の大きな中央凹部を有する。その中央凹部の中に部分的に液晶画面２５０を−８°から＋８°の範囲だけ前後に傾斜可能に支持することで、画面を見る角度を調整できるようにしている。フロント・パネル２００の右側部分の頂部から底部にかけては、電源表示２０１と、5個のディスク再生制御ボタン２０２と、赤外線センサー２０３が配置されている。一方、押しボタン２０５はパネル２００の左側部分の上方位置に装着されている。電源ソケット及びオン・オフスイッチ、音量ダイアル、ＡＶ ＲＣＡソケット等が基部１００の左右両側に配置されている。パネル２００の底端部２１０の左端部及び右端部には脚２０４がそれぞれ一体的に形成されている。
【００２０】
フロント・パネル２００は、その上方位置（図３）と下方位置（図４）との間を軸心Ｘの周りを約１０５°の角度回動可能である。上方位置が垂直位置であったときは少なくとも９０°回動可能である。フロント・パネル２００が上方位置にあるときは、基部１００は後方に（僅かに）傾斜しているので、フロント・パネルは自分の重さで基部１００にもたれかかることになる。その結果、ディスク装填用湾部１５２は塞がれて、液晶画面２５０が提示される。一方、フロント・パネル２００が下方位置にあるときは、そのフロント・パネル２００は、基部１００からほぼ水平方向に長く延びた姿勢でもって机の上に載っている状態にあり、ディスク装填用湾部１５２を見せている。
【００２１】
フロント・パネル２００の背面上には一対のフック２２０が設けられていて、基部１００の前面に設けられた孔１２０とそれぞれ係合させることで、フロント・パネル２００は基部１００の近くに掛け止めされる。フック２２０は、孔１２０とスナップ係合するためにバネで付勢されている。また、フック２２０は、押しボタン２０５と連結されていて、押しボタン２０５を押すとフック２２０はバネの付勢力に抗する方向に動いて、フック２２０は孔１２０から抜け出る。その結果、パネル２００は基部１００からはずれる。
【００２２】
フロント・パネル２００の二つの脚２０４は、回転できないものの、車輪のような形をしている。各脚２０４は、軸心Ｘの周りを半径方向等距離に延びたほぼ完全な円形の周辺部を備える。脚２０４は、パネル２００がその上方位置と下方位置との間を移動するほとんどの間机の上に接触するような形状をもっている。パネル２００の上方位置と下方位置とでは９０°以上離れているので、脚２０４（すなわち、脚の外周部）は、パネル２００のこの回動範囲をカバーするためには９０°以上の角度にわたって、すなわち、円の１／４以上にわたって、形成されている必要がある。
【００２３】
フロント・パネル２００は、液晶画面２５０のほかにスピーカー２６０があることによって比較的大きな重量をもつ。脚２０４は机の上面との接触を維持する結果、パネル２００は、上方にまたは下方に回動している間、基部１００を転倒させてしまうおそれなくずっと机の上面に載っている状態に置かれる。脚２０４は、製造上の許容誤差により支持面と常に接触するとは限らないものの、パネル２００の回転動作のすくなくとも一部の間で支持面と接触する限り、パネル２００が支持面で支持される時もあるので、差し支えない。
【００２４】
図5に示すように、フロント・パネル２００を開けるには、ユーザーは先ず左手でパネル２００の上方左側のかど部を握り、それから解除ボタン２０５を押しながら（フック２２０と孔１２０との係合を解除して）パネル２００を外側に回動させ、最後に、パネル２００を机の上に載せればよい。パネル２００を上方に回動させてディスク再生位置に係止させることもできる。基部１００をユーザーの右手で保持してもよい。
【００２５】
フロント・パネル２００は、下方位置にあるときには、通常、基部１００から最も遠ざかった位置で机の上に横たわっており、そのため、（後方に傾斜するようになっている）基部１００に対してはそれが後方へ転倒するのを妨げる方向に作用する。パネル２００は画面２５０のところで机の上に接触するように構成されている。そのために、その画面２５０の前面には四隅にそれぞれ細いリブ２５１が設けられている。
【００２６】
基部１００は、左右両側にストラップ１４５を通すための一対のループ１４０を備えている。このループ１４０にストラップ１４５を通して、ＤＶＤプレイヤー１０を自動車の前座席のヘッドレスト後方に取り付けると、同乗者はそのＤＶＤプレイヤー１０を使用することができる。
本考案を実施例によってのみ説明してきたが、当業者は、その実施例のさまざまな修正ないし変更を、添付の請求の範囲に特定した考案の範囲から逸脱しない範囲で、行うことができる。
【図面の簡単な説明】
【００２７】
本考案を実施例により添付図面を参照して詳しく説明する。
【００２８】
【図１】本考案によるポータブル・ディスク・プレイヤーの一実施例の正面図である。
【図２】図1のディスク・プレイヤーの正面図で、その画面付きのフロント・パネルは折りたたまれている状態を示している。
【図３】図1のディスク・プレイヤーの右側面図である。
【図４】図２のディスク・プレイヤーの右側面図である。
【図５】ディスク・プレイヤーのパネルの開けかたを示した斜視図である。
【図６】ディスク・プレイヤーを自動車座席の背部に取り付ける方法を示す斜視図である。
【符号の説明】
【００２９】
１０    ポータブルＤＶＤプレイヤー
１００    基部
１５０    プレイ機構
１５２    装填用湾部
２００    パネル
２５０    画面
【図１】
0003127398.tif 000003
【図２】
0003127398.tif 000004
【図３】
0003127398.tif 000005
【図４】
0003127398.tif 000006
【図５】
0003127398.tif 000007
【図６】
0003127398.tif 000008